(57)【特許請求の範囲】
【請求項１】
ストリップパック製品を輸送および展示するための容器であって、前記容器は、
ストリップパック製品を収容するための筺体内部を画定する容器筺体であって、前記容器筺体は、前記筺体内部を少なくとも部分的に包囲する閉鎖位置と開放位置との間で枢動可能な少なくとも１つのフラップを含む、容器筺体と、
前記開放位置において前記少なくとも１つのフラップ内に形成された開口部から懸架されるストリップパック製品と
を含む、容器。
【請求項２】
ストリップパック製品を輸送および展示するための容器であって、前記容器は、
ストリップパック製品を収容するための筺体内部を画定する容器筺体であって、前記容器筺体は、前記容器筺体を少なくとも部分的に包囲する閉鎖位置と開放位置との間で枢動可能な少なくとも１つのフラップを含む、容器筺体と、
前記開放位置において前記少なくとも１つのフラップから懸架されるストリップパック製品と
を含み、
前記容器筺体が、前記容器を支持体に取り付けるための取付開口部を有して形成される、容器。
【請求項３】
前記容器筺体が、原材料の１枚のブランクを折り畳むことによって形成される、請求項１に記載の容器。
【請求項４】
ストリップパック製品を展示する方法であって、
ストリップパック製品を容器の内部内に収納することと、
前記容器を展示場所まで輸送することと、
前記容器内部にアクセスするために、前記容器のフラップを開くことと、
前記ストリップパック製品を前記容器内部から取り出すことと、
前記ストリップパック製品を、前記容器の前記開いたフラップ内に形成された開口部から懸架することと、
前記展示場所で支持体に前記容器を取り付けることと
を含む、方法。
【請求項５】
前記ストリップパック製品が、前記容器内部内に収納された状態で前記フラップに取り外し可能に取り付けられて、前記フラップを開くと、前記ストリップパック製品が前記容器内部から取り出されるようになっている、請求項４に記載の方法。
【請求項６】
ストリップパック製品用ディスプレイを形成するための原材料のブランクであって、前記ブランクは、
一列に配置された複数の側壁パネルであって、隣接する側壁パネルは、折り目を中心に相互に枢動可能に接続される、複数の側壁パネルと、
折り目を中心に側壁パネルに枢動可能に接続される底面パネルと、
折り目を中心に側壁パネルに枢動可能に接続されるフラップパネルであって、前記側壁パネルから、前記底面パネルと反対側の方向に延在し、かつストリップパック製品を展示のために懸架するための、前記フラップパネルを通して形成された少なくとも１つの開口部を有する、フラップパネルと
を備え、
前記ブランクは、前記側壁パネルによって形成された複数の側壁と、少なくとも一部には前記底面パネルによって形成された底面と、前記底面と反対側の前記フラップパネルによって形成されたフラップとによって画定された筺体内部を有する容器筺体を形成するように折り畳み可能であり、前記フラップは、前記筺体内部を少なくとも部分的に包囲する閉鎖位置と、前記ストリップパック製品を展示するための開放位置との間で枢動可能である、ブランク。
【請求項７】
各サイドパネルが、一端で対応の底面パネルと枢動可能に接続され、反対端で対応のフラップパネルと枢動可能に接続される、請求項６に記載のブランク。
【請求項８】
少なくとも１つのサイドパネルが、前記ディスプレイを支持体に取り付けるための、前記少なくとも１つのサイドパネルを通る取付開口部を有して形成される、請求項６に記載のブランク。
【発明の詳細な説明】
【技術分野】
【０００１】
（関連出願の相互参照）
本出願は、２０１５年２月１３日出願の米国仮特許出願第６２／１１５，７０１号の優先権を主張するものであり、この内容はその全体が参照により本明細書に組み込まれる。
【０００２】
（発明の分野）
本発明は、消費製品のための容器に関する。より詳細には、本発明は、フロー包装機上で包装されるストリップパックのための作り付けハンガーを有する、展示可能な外装容器に関する。
【背景技術】
【０００３】
ガム、キャンディ、チーズ、食料雑貨用ストリップ／小袋パック、飲料用パック（即ちコーヒー／麦芽入り食品飲料）、小さいユニット包装等の消費製品は、多様な様式で包装される。包装の一種は「ストリップパック」と呼ばれ、ストリップパックでは、製品の一部がプラスチック材料で包装されて、ストリップ形態で相互に接続される。典型的には、包装された製品を互いから切り離すことができるように、包装された製品のそれぞれの間の包装材料にミシン目が設けられる。
【０００４】
そのような製品を小売販売する際には、多くの場合、消費者が容易に特定して選択できるやり方で製品を展示するのが望ましい。この場合、製品のストリップパック構成は吊り下げ展示に適しており、吊り下げ展示では、製品をハンガーから吊るすことができ、消費者が１つ又は複数の包装された製品をストリップから容易に取り外して購入することができる。ストリップの未購入の製品は、他の消費者が購入するようにハンガーから吊るされたままとなる。
【０００５】
そのような吊り下げ展示用の現行の従来の包装は、板紙で作られた個別のハンガーを含み、吊るすためのナイロン製の糸を有している。こうしたハンガーは、製造元で、展示用ではない輸送用カートンの中にストリップパック製品と共に詰められ、消費者に販売するために小売店に出荷される。輸送用カートンからハンガーを取り出して、ストリップパック製品をハンガーから吊り下げる。次に、完成したディスプレイは、小売店において、消費者が選択するのに便利な場所で支持され、輸送用外装カートンは破棄される。
【発明の概要】
【発明が解決しようとする課題】
【０００６】
ハンガー及びストリップパック製品のための輸送用外装カートンを提供することにより、包装費用が増えることが理解され得る。また、輸送用容器を使用後に破棄することで、環境に悪影響を与えることも理解され得る。したがって、最小限の費用で、環境に影響をあまり与えずに、ストリップパック製品用ディスプレイを提供することが望ましい。
【課題を解決するための手段】
【０００７】
本開示の一態様において、ストリップパック製品を輸送及び展示するための容器が提供される。容器は、概して、ストリップパック製品を収容するための内部を画定する容器筺体を含み、この容器筺体は、閉鎖位置と開放位置との間で枢動可能な少なくとも１つのフラップを有する。閉鎖位置において、フラップは、筺体内部を少なくとも部分的に包囲し、開放位置において、フラップは、容器の内部へのアクセスを可能にする。ディスプレイは、フラップがその開放位置にあるときに容器のフラップから懸架されるストリップパック製品を更に含む。
【０００８】
好ましい実施形態では、フラップは、ストリップパックをそこから懸架するための開口部を有して形成される。容器は、更に好ましくは、容器を支持体に取り付けるための取付開口部を有して形成される。また、容器は、好ましくは、原材料の１枚のブランクを折り畳むことによって形成される。
【０００９】
本発明の別の態様において、ストリップパック製品を展示する方法が提供される。方法は、概して、ストリップパック製品を容器の内部内に収納することと、容器を小売店舗に出荷することと、容器内部にアクセスするために、容器のフラップを開くことと、ストリップパックを容器内部から取り出すことと、ストリップパックを、容器の開いたフラップから懸架することと、小売店舗で支持体に容器を取り付けることと、を含む。
【００１０】
本発明の別の態様において、ストリップパック製品用ディスプレイを形成するための原材料のブランクが提供される。ブランクは、概して、一列に配置された複数の側壁パネルであって、隣接する側壁パネルは、折り目を中心に相互に枢動可能に接続される、複数の側壁パネルと、折り目を中心に側壁パネルに枢動可能に接続される底面パネルと、折り目を中心に側壁パネルに枢動可能に接続されるフラップパネルと、を含む。フラップパネルは、側壁パネルから、底面パネルと反対側の方向に延在し、かつストリップパック製品を展示のために懸架するための、フラップパネルを通して形成された少なくとも１つの開口部を更に有する。ブランクは、側壁パネルによって形成された複数の側壁と、少なくとも一部には底面パネルによって形成された底面と、底面と反対側のフラップパネルによって形成されたフラップとによって画定された内部を有する容器筺体を形成するように折り畳み可能である。フラップは、容器内部を少なくとも部分的に包囲する閉鎖位置と、ストリップパック製品を展示するための開放位置との間で枢動可能である。
【００１１】
好ましい実施形態では、ブランクの各サイドパネルは、一端で対応の底面パネルと枢動可能に接続され、反対端で対応のフラップパネルと枢動可能に接続される。また、少なくとも１つのサイドパネルは、ディスプレイを支持体に取り付けるための、少なくとも１つのサイドパネルを通る取付開口部を有して形成される。
【００１２】
このように、本発明によって、別個の板紙製ハンガーを回避するために開発された、設計の具体的な解決策が得られる。本発明及び設計の介入は、ストリップのための吊り下げスロットをカートンのフラップ内に組み込むために、二次包装用外装カートンのフラップを、延長フラップとして使用する。
【００１３】
作り付けハンガーにより、個々のハンガー用の追加的かつ別個の材料が節約されるだけでなく、展示に関する簡易な解決策も提供される。いったんストリップパックがカートンに詰め込まれると、展示可能な解決策を示すために、展示用外装体を開封し、反転させ、軽くたたくことだけすればよい。
【００１４】
本開示の特徴は、以下の詳細な説明を添付の図面と併せて考慮することによって明らかとなるであろう。しかしながら、図面は例示のためだけに設計されており、本開示の限定を定義するものではないことを理解すべきである。
例えば、本願は以下の項目を提供する。
（項目１）
ストリップパック製品を輸送及び展示するための容器であって、
ストリップパック製品を収容するための筺体内部を画定する容器筺体であって、前記筺体内部を少なくとも部分的に包囲する閉鎖位置と、開放位置との間で枢動可能な少なくとも１つのフラップを含む、容器筺体と、
前記開放位置において前記少なくとも１つのフラップから懸架されるストリップパック製品と、を含む、容器。
（項目２）
前記少なくとも１つのフラップが、前記ストリップパック製品をそこから懸架するための開口部を有して形成される、項目１に記載の容器。
（項目３）
前記容器筺体が、前記容器を支持体に取り付けるための取付開口部を有して形成される、項目１に記載の容器。
（項目４）
前記容器筺体が、原材料の１枚のブランクを折り畳むことによって形成される、項目１に記載の容器。
（項目５）
ストリップパック製品を展示する方法であって、
ストリップパック製品を容器の内部内に収納することと、
前記容器を展示場所まで輸送することと、
前記容器内部にアクセスするために、前記容器のフラップを開くことと、
前記ストリップパック製品を前記容器内部から取り出すことと、
前記ストリップパック製品を、前記容器の前記開いたフラップから懸架することと、
前記展示場所で支持体に前記容器を取り付けることと、を含む、方法。
（項目６）
前記ストリップパックが、前記フラップ内に形成された開口部から懸架される、項目５に記載の方法。
（項目７）
前記ストリップパック製品が、前記容器内部内に収納された状態で前記フラップに取り外し可能に取り付けられて、前記フラップを開くと、前記ストリップパック製品が前記容器内部から取り出されるようになっている、項目５に記載の方法。
（項目８）
ストリップパック製品用ディスプレイを形成するための原材料のブランクであって、
一列に配置された複数の側壁パネルであって、隣接する側壁パネルは、折り目を中心に相互に枢動可能に接続される、複数の側壁パネルと、
折り目を中心に側壁パネルに枢動可能に接続される底面パネルと、
折り目を中心に側壁パネルに枢動可能に接続されるフラップパネルであって、前記側壁パネルから、前記底面パネルと反対側の方向に延在し、かつストリップパック製品を展示のために懸架するための、前記フラップパネルを通して形成された少なくとも１つの開口部を有する、フラップパネルと、を備え、
前記ブランクは、前記側壁パネルによって形成された複数の側壁と、少なくとも一部には前記底面パネルによって形成された底面と、前記底面と反対側の前記フラップパネルによって形成されたフラップとによって画定された筺体内部を有する容器筺体を形成するように折り畳み可能であり、前記フラップは、前記筺体内部を少なくとも部分的に包囲する閉鎖位置と、前記ストリップパック製品を展示するための開放位置との間で枢動可能である、ブランク。
（項目９）
各サイドパネルが、一端で対応の底面パネルと枢動可能に接続され、反対端で対応のフラップパネルと枢動可能に接続される、項目８に記載のブランク。
（項目１０）
少なくとも１つのサイドパネルが、前記ディスプレイを支持体に取り付けるための、前記少なくとも１つのサイドパネルを通る取付開口部を有して形成される、項目８に記載のブランク。
【図面の簡単な説明】
【００１５】
【図１】従来技術による、輸送用カートンの中にストリップパック製品が提供された従来型ハンガー用ディスプレイの斜視図である。
【図２】開口前の、本発明の展示容器の斜視図である。
【図３】開口後の、図１に示す展示容器の斜視図であり、ストリップパック製品が作り付けハンガーから吊り下がっている。
【図４】本発明のディスプレイを形成するために使用することができる原材料のブランクの一実施形態の平面図である。
【発明を実施するための形態】
【００１６】
従来技術の従来型ストリップパック用ディスプレイ１００が図１に示されている。上述したように、従来型ディスプレイ１００は、コンポーネントハンガー１２０から吊り下げられた複数のストリップ状の包装された製品１１０を含む。コンポーネントハンガー１２０はボール紙であり、それを貫通する開口部１２２を有しており、パッケージのストリップ１１０はこれら開口部に通されて支持されている。コンポーネントハンガー１２０及びストリップ１１０は、輸送用外装カートン又はボックス１３０に入れられる。ボックス１３０を開封したときと、コンポーネントハンガー１２０をボックスから取り出すことができ、ストリップ状製品１１０がハンガー１２０から吊り下がる。次に、コンポーネントハンガー１２０を様々な方法で取り付けて又は吊るして、ストリップ状製品１１０を展示のために吊り下げることができるようにし得る。
【００１７】
次に図２及び図３を参照すると、本発明は、製品２０のストリップを支持及び展示するための、輸送及び展示用複合パッケージ１０に関する。ストリップ状製品２０は、上述したように、ストリップ形態に包装された任意の製品であってよく、１つの包装された製品が別の包装された製品から個別に分離可能となるように構成されている。ストリップ状製品２０は、適切にラベル貼付され、消費者が選択及び購入するために、吊り下げ方式で展示されるように適合される。
【００１８】
本発明の展示パッケージ１０は容器３０を含み、この容器３０は、ストリップ状製品２０のための輸送用カートン及び小売店舗において製品用の展示ハンガーの両方の役割を果たす。よって、図２及び図３に示すように、従来技術の別個の外装カートン及びハンガーは、ハンガーが実際に外装カートンとなるように、単一の容器３０に統合される。
【００１９】
図２に示すように、容器３０は、ストリップ状製品２０を収容し、小売店舗に出荷するための内部を画定するよく知られた矩形ボックスを形成する。小売店舗に着いたら、容器３０を開封してストリップ状製品２０を取り出すことができる。しかながら、図３に示すように、その後容器３０自体がディスプレイに変換され、このディスプレイは、ストリップ状製品２０を垂直に吊り下げることができるように、小売店で所望の場所に取り付けられるか又は固定されることができる。
【００２０】
そのような変換を可能にするため、容器３０は、容器内部から離れる方向に外方に広げて垂直ハンガーを形成することができる、少なくとも１つのフラップを有して形成される。フラップ３２は、フラップ３２を通して形成された少なくとも１つの開口部又はスロット３４を有する。開口部３４は、ストリップ状製品をフラップから垂直に吊り下げることができるように、開口部を通して少なくとも１つのストリップ状製品２０の挿入を可能にする高さ及び幅を有する。開口部３４は、フラップ３２上でのストリップ状製品の保持を容易にするために、ストリップ状製品２０の幅と一致する幅を有するのが好ましい。
【００２１】
好ましい実施形態では、容器３０は、４つの側壁３６を有し、各側壁にはフラップ３４が枢動可能に接続される。容器３０は底面３８を更に有し、この底面３８から側壁３６が延在して内部を形成する。４つのフラップ３２は、容器３０の内部に向かって内向きに折り畳まれたときに、完全に包囲された容器３０の上面を形成するような寸法及び形状を有している。フラップ３２は、それらの対応の側壁に関して、図２に示される、容器３０を包囲する閉鎖位置と、図３に示される、ストリップ状製品２０を垂直に支持するためのハンガーを形成する開放位置との間で枢動可能である。
【００２２】
図４に示すように、容器３０は、ボール紙又は他の耐久性のある材料などの原材料の１枚のブランク４０から形成され得る。ブランク４０は、サイドパネル４４に接続される底面パネル４２を含むことができ、このサイドパネル４４は、次いで、フラップパネル４６に接続される。パネル同士の間には、ブランク４０を折り畳んで容器３０を形成するのを容易にする折り目４８又は畳み目が設けられる。したがって、サイドパネル４４は互いに対して折り畳まれて容器の側壁３６を形成し、底面パネル４２はサイドパネルに対して折り畳まれて容器の底面３８を形成する。また、１つ又は複数のパネルには、パネル同士を固定するための接着剤５０が提供されてもよい。
【００２３】
図４に示すように、フラップパネル４６は、それらの間の折り目４８によってサイドパネル４４に接続される。少なくとも１つの開口部３４は、各フラップパネル４６を通して形成され、開口部を通してストリップ状製品２０を懸架することができる。
【００２４】
図４は更に、各フラップパネル４６が蓋部４６ａと、折り目４８によって区切られたハンガー部４６ｂとを有する、好ましい実施形態を示す。蓋部４６ａは、折り目４８を中心にサイドパネル４４に枢動可能に接続され、ハンガー部４６ｂは、蓋部のサイドパネルと反対側に枢動可能に接続される。蓋部４６ａは、組み立てられると容器箱内部を完全に包囲するような寸法及び形状を有する。ハンガー部４６ｂは、組み立てられると、容器内部に向かって内向きに折り畳まれ、ストリップ状製品を懸架するための開口部３４を備えて形成されている。
【００２５】
したがって、容器が組み立てられると、蓋部４６ｂは一緒になって容器の上面を形成する一方、ハンガー部は容器３０の内部内に配置される。このように、容器３０を充填するときに、ストリップパック製品２０をハンガー部４６ｂの開口部３４内に「予め懸架」させることができるので、フラップ３２を開いたときに、ストリップパック製品２０は容器から簡単にこぼれ落ちて、展示のための状態でフラップから懸架されることになる。
【００２６】
また、好ましい実施形態では、少なくとも１つのサイドパネル４４は、１つ又は複数の取付開口部５２を有し、この開口部により、展示の際に容器３０を垂直面に固定することが可能となる。取付開口部は１つ又は複数の底面パネル４２にも設けられることができ、そうすることで、容器３０を水平面に取り付けることが可能となる。このように、ブランク４０を組み立てて容器３０を形成することができ、次に、小売マーケット内で容器をナイロン製の糸によって棚又は吊り金具から吊るして、ストリップ状製品２０を展示するための、図３に示すディスプレイ１０を形成することができる。
【００２７】
本発明の結果として、ハンガーが外装カートンとなるように、外装カートンとハンガーとが単一ユニットに統合されたディスプレイ１０が提供される。外装カートンコンビネーションは１枚のブランクから形成されることができ、カートンの底面フラップを開くと、ストリップパッケージが下方に伸びる。カートンは、ストリップ状製品が垂直に吊り下げられるように取り付けられる又は固定されることができる。
【００２８】
本明細書に提供された本発明の上述の実施形態は、単に例示的なものであって、限定ではなく、例としてのみ提示されていることを、当業者は理解すべきである。本明細書に記載される場合、本明細書において開示される全ての特徴は、明示的に別段の定めがある場合を除き、同じ目的又は同様の目的を果たす別の特徴により置き換えられることができる。したがって、その修正の他の多くの実施形態は、本明細書で定められており、またそれに等価の本発明の範囲内に含まれるものとして企図される。本発明の様々な実施形態を具体的に例示及び／又は述べてきたが、当業者であれば、本発明の趣旨及び意図される範囲から逸脱することなく、様々な修正及び変更を加えることができることを理解するであろう。
【図１】
0006415733.tif 000002
【図２】
0006415733.tif 000003
【図３】
0006415733.tif 000004
【図４】
0006415733.tif 000005